(57)【特許請求の範囲】
【請求項１】
断熱箱体内を区画壁(8)により上下に区画することにより、上側の冷蔵室(9)と下側の冷凍室(10)とを構成するとともに、冷却器(15)により冷却された冷気を送風機(16)によって前記冷蔵室(9)と冷凍室(10)内に分配供給する冷蔵庫において、
前記区画壁内には前記冷気を前記冷蔵室(9)に導くための吐出通路(18)と前記冷蔵室(9)からの戻り冷気を導くための吸込通路(19)とを形成した断熱材(7)が設置され、この断熱材(7)の吐出通路(18)内にはダンパー装置(20)が収納されていることを特徴とする冷蔵庫。
【発明の詳細な説明】
【０００１】
【発明の属する技術分野】
本発明は断熱箱体内を区画壁にて区画するとともに、冷却器からの冷気を送風機にて冷蔵室及び冷凍室に分配供給する冷蔵庫に関する。
【０００２】
【従来の技術】
近年、冷蔵庫は使用頻度の高い冷蔵室を使用者が収納物をより見易い最上部に置き、冷凍室をこの冷蔵室の下側に配置するものが多く見られる。通常、冷却器は冷凍室の背部に配置する冷却室に置くことから冷蔵室全域への冷気の供給を可能にするためには冷却室から冷蔵室の背部にかけてダンパー装置を介してダクトを設けていた。
【０００３】
【発明が解決しようとする課題】
しかしながら、従来の冷蔵庫のダンパー装置では冷蔵室の背部に設けられているため、庫内容積が小さくなる原因となる問題があった。
【０００４】
この発明は上記の問題を解決するもので、冷蔵室と冷凍室との間にもうけられた区画壁内に吐出通路と吸込通路とを離して設け、この吐出通路内にダンパー装置を収納させた冷蔵庫を提供することを目的とする。
【０００５】
【課題を解決するための手段】
請求項１の発明では、断熱箱体内を区画壁により上下に区画することにより、上側の冷蔵室と下側の冷凍室とを構成するとともに、冷却器により冷却された冷気を送風機によって両冷蔵室と冷凍室内に分配供給する冷蔵庫において、前記区画壁内に冷気を冷蔵室に導くための吐出通路と前記冷蔵室からの戻り冷気を導くための吸込通路とを形成した断熱材を設置し、この断熱材の吐出通路内にダンパー装置を収納し、冷蔵室内の有効容積が狭くなるのを防止できるようにしている。
【０００６】
【発明の実施の形態】
以下この発明を図に基づいて説明する。
【０００７】
図１はこの発明の一実施例を示す冷蔵庫の断面図である。図２はこの発明の冷蔵室の要部切欠斜視図である。図３はこの発明の断熱箱体の要部断面図である。図４はこの発明のダンパー装置の要部拡大図である。
【０００８】
１は冷蔵庫で、この冷蔵庫は前方に開口する鋼板製の外箱２と、この外箱内に間隔を存して組み込まれる前方に開口する硬質合成樹脂製の内箱３と、両箱２，３間に現場発泡方式にて充填された発泡ポリウレタン断熱材４とから本体５が構成されている。本体５の庫内は、内箱３と一体に形成され、内部に成形断熱材６、７が収納された区画壁８にて上下に区画され、上側に冷蔵室９が、下側に冷凍室１０が形成されている。そして、冷蔵室９の前面開口は扉１１で、冷凍室１０の前面開口は引き出し扉１２にて開閉自在に閉塞されている。
【０００９】
冷凍室１０の奥部には仕切板１３にて冷却室１４が区画形成されており、この冷却室１４内に冷却器１５が配置されている。この冷却器の上方には送風機１６が設けられており、仕切板１３の上部及び中央部には冷凍室用吐出口１７が、下部には冷凍室用吸込口１７Ａが設けられている。
【００１０】
区画壁８内の後部の成形断熱材７は、発泡スチロールなどから成形され、冷却器で冷却された冷気を送風機１６によって冷蔵室９に導くための吐出通路１８と、この冷蔵室からの戻り冷却を導くための吸込通路１９とが形成されている。
【００１１】
成形断熱材７の吐出通路１８内にはダンパー装置２０が収納されている。ダンパー装置２０は上下面が開口した矩形状のケース２１と、このケース内に回転自在に設けられたダンパー２２と、ケース２１の外面に取り付けられてダンパー２２を回転駆動させるステッピングモータ或いはＤＣモータなどからなるモータ２３とから構成されている。
【００１２】
ケース２１の上部開口周縁には外側に広がるフランジ２４が形成され、ケース２１の内部にはダンパー２２が接触するシール部２５、２６が形成されている。
【００１３】
ダンパー装置２０はダンパー２２がシール部２５、２６に接触している状態で冷却室１４から冷蔵室９へ供給される冷気を遮断している。
【００１４】
このように構成された冷蔵庫のダンパー装置において、冷却器１５にて冷却された冷気は送風機１６により冷凍室用吐出口１７から冷凍室１０内に吹き出される。そして、冷凍室１０内を循環して冷却した後、冷気は下部の冷凍室用吸込口１７Ａから冷却室１４内下部に帰還する。これによって、冷凍室１０は所定の冷凍温度（−２０℃）に維持される
また、送風機１６より吹き出された冷気の一部は成形断熱材７の吐出通路１８内に流入しダンパー装置２０のケース２１内を経て冷蔵室背面ダクト２７に流入する。そして、このダクト内を上昇した後、冷蔵室用吐出口２８より冷蔵室９内に吹き出される。
ダンパー装置２０のモータ２３は、冷蔵室９内の温度を検出するセンサーを備えた図示しない制御装置により制御され、ダンパー２２を回転駆動させてケース２１内を流通する冷気量を調整する。これによって、冷蔵室背面ダクト２７への冷気供給が制御され、冷蔵室９内の温度は所定の冷蔵温度（＋５℃）に維持される。
【００１５】
冷蔵室９内を循環した冷気は、成形断熱材７の吸込通路１９より野菜室２９内に供給される。そして、野菜室２９内を循環し、図示しない容器内を間接的に冷却した後、冷気は区画壁３０内の野菜室帰還ダクト３１内を経て冷却室１４内下部に帰還する。これによって、容器内の野菜は乾燥が防がれた状態で＋８℃から＋１０℃程度の温度に保冷される。
【００１６】
このように本発明では区画壁８内後部の成形断熱材７内に形成した吐出通路１８内にダンパー装置２０が設けられているので、従来の如くダンパー装置によって冷蔵室９内の有効容積が狭められることがなくなる。また、ダンパー装置２０を吐出通路１８内に収納しているので、ダクト装置から戻り通路を形成する吸込通路１９内に冷気が漏れるのを防止するシール材を設ける必要もなくなり、冷気の流れるも単純化するため、供給量を増加させることが可能となる。
【００１７】
【発明の効果】
請求項１の発明によれば、断熱箱体内を区画壁により上下に区画することにより、上側の冷蔵室と下側の冷凍室とを構成するとともに、冷却器により冷却された冷気を送風機によって前記冷蔵室と冷凍室内に分配供給する冷蔵庫において、前記区画壁内に冷気を冷蔵室に導くための吐出通路と前記冷蔵室からの戻り冷気を導くための吸込通路とを形成した断熱材を設置し、この断熱材の吐出通路内にダンパー装置を収納したので、冷蔵室内の有効容積が狭くなるのを防止できる。しかも、区画壁内に配置した成形断熱材の吐出通路内にダンパー装置を収納するので、ダンパー装置周辺の風路を簡略化することができる。
【図面の簡単な説明】
【図１】  この発明の一実施例を示す冷蔵庫の断面図である。
【図２】  この発明の冷蔵室の要部切欠斜視図である。
【図３】  この発明の断熱箱体の要部断面図である。
【図４】  この発明のダンパー装置の要部拡大図である。
【符号の説明】
１  冷蔵庫
４  断熱材
５  本体
７  成形断熱材
９  冷蔵室
１０  冷凍室
１５  冷却器
１６  送風機
１８  吐出通路
１９  吸込通路
２０  ダンパー装置
【図１】
0003649827.tif 000002
【図２】
0003649827.tif 000003
【図３】
0003649827.tif 000004
【図４】
0003649827.tif 000005